(57)【特許請求の範囲】
【請求項１】
記録媒体に記録された番組に含まれる個々のチャプタを検出するチャプタ検出部と、
前記番組を再生する際、前記チャプタ検出部によって検出されたチャプタの再生時間とその次のチャプタの再生時間の時間差を検出して前記時間差が所定時間よりも大きい場合に画面に前記チャプタを含むチャプタ情報バーを表示する制御部と
を有することを特徴とする映像情報表示装置。
【発明の詳細な説明】
【技術分野】
【０００１】
本発明の実施形態は、番組鑑賞中にオンスクリーン表示することが可能な映像情報表示装置及びチャプタスキップ制御方法に関する。
【背景技術】
【０００２】
近年、ＨＤＤ（Hard Disk Drive）やＯＤＤ（Optical Disc Drive）に映像音声情報をデジタル記録することが可能な映像情報表示装置の普及が目覚しい。このような映像情報表示装置は、映像音声情報をデジタル記録し、記録した映像音声情報をチャプタと呼ばれる単位で分割編集することができる。チャプタによって見たいシーンの頭出しをしたり、好きなチャプタだけを集めて新しいタイトルを作ることができる。
【０００３】
例えば、ユーザは、映像情報表示装置により番組データを通常に再生しながら分割したいタイミングでチャプタ分割ボタンを押下してチャプタ分割ポイントを設定できる。また、映像情報表示装置によっては、番組データのシーンチェンジ点を検出して自動でチャプタ分割する機能を有しているものもある。
【０００４】
ユーザがチャプタをスキップさせるスキップ操作において、表示装置の画面にチャプタのある場所を示すタイムバーを表示させてからスキップ操作することが一般に行われている。例えば、タイムバー上でカーソルを移動することで、目的のチャプタへスキップさせることができる（例えば特許文献１参照。）。
【先行技術文献】
【特許文献】
【０００５】
【特許文献１】特開２００６−３３２８５６号公報
【発明の概要】
【発明が解決しようとする課題】
【０００６】
映像情報表示装置において、自動チャプタ装置がシーンチェンジ点を誤認識したり、音声データの境界ポイントを誤認識した場合に、チャプタの打ち損じが発生する場合がある。例えば、自動チャプタ装置にてＣＭ（Commercial Message）から番組本編に移り変わる部分のチャプタの打ち損じがあった場合に、番組鑑賞中にＣＭ等の部分のチャプタをスキップさせた際に、遥か先のチャプタまでスキップしてしまう場合がある。
【０００７】
本実施形態は上記したような事情に鑑み成されたものであって、チャプタをスキップする際にチャプタの状態を容易に確認でき、スキップ操作の操作性を向上させた映像情報表示装置及びチャプタスキップ制御方法を提供することを目的とする。
【課題を解決するための手段】
【０００８】
上記目的を達成するために、実施形態の映像情報表示装置は、記録媒体に記録された番組に含まれる個々のチャプタを検出するチャプタ検出部と、前記番組を再生する際、前記チャプタ検出部によって検出されたチャプタの再生時間とその次のチャプタの再生時間の時間差を検出して前記時間差が所定時間よりも大きい場合に画面に前記チャプタを含むチャプタ情報バーを表示する制御部を有することを特徴とする。
【図面の簡単な説明】
【０００９】
【図１】実施形態の映像情報表示装置の構成を示したブロック図。
【図２】リモコンの概観を示した図。
【図３】チャプタ情報バーの表示の例を示した図。
【図４】初期設定ウィンドウの表示の例を示した図。
【図５】チャプタ情報バーにおいてチャプタの打ち損じがある状態の例を示した図。
【図６】チャプタ情報バー表示処理の動作手順を示したフローチャート。
【図７】第２の実施形態におけるチャプタ情報バーの表示の例を示した図。
【発明を実施するための形態】
【００１０】
以下実施形態について図面を参照しながら説明する。
【００１１】
（実施形態１）
図１は、実施形態の映像情報表示装置１の構成を示したブロック図である。アンテナ２は、放送局２７から送信された放送電波を受信するための地上デジタル放送あるいは衛星デジタル放送用のアンテナである。
【００１２】
チューナ３は、地上デジタル放送あるいは衛星デジタル放送の放送信号の中から所望のチャンネルの放送信号を選局する。チューナ３は、複数のチューナユニットから構成されており、同時に複数の放送を受信することができる。
【００１３】
復調器４は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、ＭＰＥＧ（Moving Picture Experts Group）−ＴＳ（Transport Stream）に復調され、デコード処理部５に出力される。
【００１４】
デコード処理部５は、ＭＰＥＧデコーダ、映像音声デコーダ等の機能を有する。デコード処理部５は、復調器４から送信されたＭＰＥＧ−ＴＳデータをセクション化して、番組情報のデータをデコードする。映像ＰＥＳ（Packetized Elementary Stream）に対しては映像ＥＳ（Elementary Stream)化、音声ＰＥＳに対しては音声ＥＳ化を行って映像データ及び音声データをデコードする。また、デコード処理部５は、記録装置１８からの再生データをデコードする。
【００１５】
重畳処理部６は、デコード処理部５からの映像データと、バス１２を介して転送されるデータ放送やＯＳＤデータ生成部２６によるウィンドウ描画をプレーン管理して、映像データとの重ね合わせを行い、映像処理部７に送る。
【００１６】
映像処理部７は、表示装置８で表示可能なフォーマット（画素数、フレーム周波数、走査方式）に変換したり、表示色を任意に調整したりして、表示装置８に出力して映像を画面９に表示させる。
【００１７】
音声処理部１０は、デコード処理部５から伝送されたデジタルの音声データを、スピーカ１１で再生可能なアナログ音声信号に変換した後、スピーカ１１に出力して音声を再生させる。なお、表示装置８やスピーカ１１は映像情報表示装置１の外部にあってもよい。また映像情報表示装置１と別の筐体であってもよい。
【００１８】
映像情報表示装置１は、上記した受信動作を含むその全ての動作を制御部１３によって統括的に制御されている。制御部１３はＭＰＵ（Micro Processing Unit）１４が搭載されており、バス１２を介して接続された各構成要素を制御する。
【００１９】
ＲＡＭ（Random Access Memory）１５は、制御部１４のデータ処理に必要な各種データを格納するリード／ライトメモリであり、映像データ等を格納するバッファメモリとして動作する。ＲＯＭ（Read Only Memory）１６は読出し専用メモリであり、ＭＰＵ１４が実行する制御のプログラムなどを格納している。
【００２０】
フラッシュメモリ１７は、書き換え可能であり、電源を切ってもデータが消えない不揮発性の半導体メモリである。フラッシュメモリ１９は、録画番組情報、録画予約情報等を記憶する機能を有する。
【００２１】
記録装置１８は、ＨＤＤ（Hard Disk Drive）、ＳＳＤ（Solid State Drive）或いはＯＤＤ（Optical Disc Drive）等を含む記録装置である。記録装置１８には記録装置に情報を記録再生するためのエンコーダとデコーダが搭載されており、該エンコーダとデコーダを介してＭＰＥＧ−ＴＳデータが変調されＨＤＤ、ＳＳＤ或いはＯＤＤに記録し、また再生する。再生データは、デコード処理部５でデコードされる。
【００２２】
外部インターフェース１９は、ＵＳＢ（Universal Serial Bus）、ＩＥＥＥ１３９４（Institute of Electrical and Electronic Engineers 1394）、あるいはｅＳＡＴＡ(external Serial ATA(AT Attachment)）、ＳＤ（Secure Digital）（登録商標）メモリカード等のインターフェースであり、ＵＳＢメモリやＵＳＢ外部機器、ＳＤメモリカード、ＨＤＤ、ＳＳＤ、ＣＤ−Ｒ／ＲＷ、ＤＶＤライター等のドライブ類を含む外部記憶装置２０が接続される。外部インターフェース１９を介して外部記憶装置２０に放送番組を記録することができる。番組を記録装置１８または外部記憶装置２０のどちらに記録するかをユーザが選択できる。
【００２３】
操作受信部２１は、操作機器２２から送信される操作信号を受信し、制御部１３に転送する。操作機器２２は、例えば、赤外線あるいはBluetooth等による無線通信を利用したリモコン（リモートコントローラ、remote controller）、有線式あるいは無線式キーボード等であり、操作信号を送出する。操作受信部２１は、そのリモコン、キーボード等から操作信号を受信する。
【００２４】
制御部１３は、チャプタ検出部２３、チャプタ情報バー表示制御部２４、チャプタ情報バー初期設定部２５、ＯＳＤデータ生成部２６の機能を有する。これらの機能は、制御部１３のＭＰＵ１４が実行するアプリケーションであり、通常はＲＯＭ１６に格納されており、使用時にはＭＰＵ１４によって読み出され実行される。
【００２５】
チャプタ検出部２３は、記録装置１８からの再生データのチャプタを検出する。記録装置１８からの再生データがデコード処理部５でデコードされた後の画像データにおいて検出する。
【００２６】
チャプタ情報バー表示制御部２４は、記録装置１８に記録された番組データに含まれるチャプタ情報とチャプタ検出部２３から伝送されるチャプタ検出情報に基づいて、チャプタ情報バー４５（図３参照）のデータを生成する。生成されたチャプタ情報バー４５のデータはＯＳＤデータ生成部２６に送られる。
【００２７】
チャプタ情報バー初期設定部２５は、チャプタ検出部２３によってチャプタ情報が検出されたときに、表示装置８の画面９におけるチャプタ情報バー４５の表示可否と表示時間をユーザの指示に基づいて設定する機能を有する。
【００２８】
ＯＳＤデータ生成部２６は、ＯＳＤ（On Screen Display）データを生成し、生成されたＯＳＤデータはバス１２を介して重畳処理部６へ送信される。重畳処理部６に送付されたＯＳＤデータは、映像データに重畳処理されたり、或いはＯＳＤ単独画面として処理され、映像処理部７へ伝送され画面９に表示される。
【００２９】
図２は、リモコン３０の実施例を示した概観図である。リモコン３０は赤外線あるいはBluetooth等による無線通信を利用して、映像情報表示装置１の操作受信部２１へ操作信号を送る。電源ボタン３１は、映像情報表示装置１の電源をオンまたはオフする。詳細には映像情報表示装置１を待機状態から動作状態、または動作状態から待機状態にするボタンである。
【００３０】
選局ボタン３２は、チャンネル番号を直接選択する１から１２までの番号が振られたボタンである。チャネル送りボタン３３は、チャネル番号を順送りまたは逆送りで選局するボタンであり、選局ボタン３２と同様にチャネルを選局するときに用いられる。音量調整ボタン３４は、番組を視聴するときの音量を調整するボタンである。
【００３１】
カーソルボタン３５は表示装置８の画面９に表示されたＯＳＤ画面の各種の情報ウィンドウ内のカーソルの移動や各種項目の選択ボタンの移動を行うためのボタンである。左方向カーソルボタン３５ａはカーソルを左方向に移動させるときに用いるボタンである。右方向カーソルボタン３５ｂ、上方向カーソルボタン３５ｃ、下方向カーソルボタン３５ｄはそれぞれカーソルを右方向、上方向、下方向に移動させるときに用いる。決定ボタン３６は、カーソルボタンで移動した先の位置または画面上のボタンを実行するときに用いられる。
【００３２】
再生ボタン３７は、記録装置１８に記録された番組の再生を開始するときに操作するボタンである。一時停止ボタン３８は、再生を一時的に止めて静止画像を表示するときに操作するボタンである。停止ボタン３９は、再生を止めるときに操作するボタンである。停止位置を一時的にＲＡＭ１３に記録する。
【００３３】
スキップボタン４０は、ひとつ先のチャプタへスキップするときに操作するボタンである。押す度に先のチャプタへ移動する。戻りスキップボタン４１は、現在のチャプタの先頭へ戻るときに操作するボタンである。続けて２回押すと一つ前のチャプタの先頭に戻ってから再生する。
【００３４】
図３は、チャプタ情報バー４５の表示の例を示した図である。チャプタ情報バー４５は、画面９の一部に横に伸びた棒グラフに似た形状をしている。横方向の長さＴが１番組全体の長さを表す。チャプタ分割線４６は、番組の中のチャプタの位置を示している。従って、チャプタ分割線４６は複数存在する。
【００３５】
カーソル４７は、チャプタ検出部２３が検出したチャプタの先頭を示している。ユーザが何も操作しなければ、映像が再生され続け、所定時間（第１の設定時間）が経過するとチャプタ情報バー４５は画面から消滅する。ユーザが、リモコン３０のスキップボタン４０を押下すると、カーソル４７は一つ先の（図３においては一つ右側の）チャプタへ移動し、移動したチャプタの先頭から再生を開始する。その後チャプタ情報バー４５は、所定時間（第２の設定時間）が経過すると消滅する。
【００３６】
図４は、初期設定ウィンドウ５０の表示の例を示した図である。初期設定ウィンドウ５０は、ユーザがチャプタ情報バーの表示の可否と表示時間を設定するためのＯＳＤ画面である。チャプタ情報バー初期設定部２５は、ＯＳＤデータ生成部２６に初期設定ウィンドウ５０のＯＳＤ画面を生成させて、重畳処理部６を介して画面９に初期設定ウィンドウ５０を表示させる。初期設定ウィンドウ５０は、ユーザが映像情報表示装置１を購入して最初に電源を投入した場合、画面９に表示される。或いは、初期設定ウィンドウ５０を表示させる場面の設定によって、電源投入毎に画面９に表示させるようにすることもできる。
【００３７】
チャプタ情報バー初期設定部２５は、チャプタ検出部２３によってチャプタ情報が検出されたときに、画面９におけるチャプタ情報バー４５を表示させるかまたは表示させないかをユーザの指示に基づいて設定する。ユーザは初期設定ウィンドウ５０の「する」ボタン５１、「しない」ボタン５２をリモコン３０のカーソルボタン３５を押下して選択する。
【００３８】
次に「する」ボタン５１が選択された場合には、表示時間（第１の設定時間）を設定する。第１の設定時間は、例えば、表示時間増減ボタン５３のように１秒単位で矢印の上下で増減させるようなＯＳＤ画面で表示させる。ユーザは表示時間増減ボタン５３の矢印ボタンを選択して、表示時間を指定する。
【００３９】
チャプタ検出時のチャプタ情報バー４５の表示時間は、最大１２秒とする。これは例えばＣＭ等の標準時間が１５秒なのでそれより少し短い時間が良いためである。１５秒またはそれ以上にしてしまうとＣＭを１本見てしまう時間となり、チャプタを飛ばす意味が薄れるからである。ユーザは、１秒から１２秒の間で表示時間を指定できる。工場出荷時には、１２秒に設定するようにしてもよい。
【００４０】
チャプタ情報バー初期設定部２５は、ユーザがチャプタをスキップした後で、画面９にチャプタ情報バー４５を表示させるかまたは表示させないかをユーザの指示に基づいて設定する。ユーザは初期設定ウィンドウ５０の「する」ボタン５４、「しない」ボタン５５をリモコン３０のカーソルボタン３５を押下して選択する。
【００４１】
次に「する」ボタン５４が選択された場合には、表示時間（第２の設定時間）を設定する。第２の設定時間は、例えば、表示時間増減ボタン５６のように１秒単位で矢印の上下で増減させるようなＯＳＤ画面で表示させる。ユーザは表示時間増減ボタン５６の矢印ボタンを選択して、表示時間を指定する。
【００４２】
スキップ後のチャプタ情報バー４５の表示時間は最大５秒とする。これは例えばＣＭスキップ後のためチャプタが正常に打ち込まれていれば通常は番組開始となる。従ってチャプタ情報バー４５の長い表示は必要ない。スキップ後の位置が希望の箇所に飛んだか確認できれば良い。逆に情報バーの表示が長過ぎると番組の視聴の妨げになってしまうためである。ユーザは、１秒から５秒の間で表示時間を指定できる。工場出荷時には、５秒に設定するようにしてもよい。
【００４３】
チャプタ情報バー初期設定部２５は、設定されたデータをフラッシュメモリ１７に記憶させる。
【００４４】
図５は、チャプタ情報バー４５においてチャプタの打ち損じがある状態の例を示した図である。番組本編開始のチャプタを打ち損じていると予想されるような長いチャプタが２個連続している例を示す。破線で示したチャプタ分割線６０ｂが本来なら存在するところが打ち損じのために無い状態となっている。６０ａのチャプタが例えばＣＭのチャプタであり、スキップすると、６０ｃのチャプタへ飛んでしまう。６０ｂに相当する部分の番組本編を飛ばしてしまうことになる。
【００４５】
６０ａのチャプタに達した後で、チャプタをスキップしなければ、そのまま再生が継続される。ユーザはチャプタ情報バー４５を見て、スキップするか否かを判断できる。別の機能として３０秒スキップ等が備えられていれば、それを使用してＣＭ等をスキップすることも可能である。
【００４６】
図６は、チャプタ情報バー表示処理の動作手順を示したフローチャートである。Ｓ１１において、チャプタ情報バー初期設定部２５は、画面９に初期設定ウィンドウ５０を表示させる。電源投入毎に画面９に表示されるように設定にされた場合には、電源投入の度に初期設定ウィンドウ５０を表示させる。ユーザが映像情報表示装置１を購入して最初に電源を投入したときに初期設定し、電源を投入する度に初期設定しない場合には、初期設定ウィンドウ５０は、電源を投入する度に表示されない。そのような設定となっている場合にはＳ１３から開始される。
【００４７】
Ｓ１２において、チャプタ情報バー初期設定部２５は、チャプタ検出部２３によってチャプタ情報が検出されたときに、画面９におけるチャプタ情報バー４５を表示させるかまたは表示させないか、また表示時間をユーザの指示に基づいて設定する。
【００４８】
Ｓ１３において、制御部１３は、ユーザから再生指示が発行されたら記録された番組を再生する。Ｓ１４において、制御部１３は、番組が終了したかを検査し、終了していないならば、Ｓ１５へ移行する。番組が終了したならば、終了する。
【００４９】
Ｓ１５において、チャプタ検出部２３は、番組を再生している途中でチャプタが検出されたかを検査し、検出されたならばＳ１６へ移行する。検出されなければ、Ｓ１４へ戻る。
【００５０】
Ｓ１６において、チャプタ情報バー表示制御部２４は、初期設定画面でチャプタ検出時に表示する設定になっているかを検査し、表示する設定になっていれば、Ｓ１７へ移行し、表示しない設定になっていれば、Ｓ１４へ戻る。
【００５１】
Ｓ１７において、チャプタ情報バー表示制御部２４は、記録装置１８に記録された番組データに含まれるチャプタ情報とチャプタ検出部２３から伝送されるチャプタ検出情報に基づいて、チャプタ情報バー４５のデータを生成する。生成されたチャプタ情報バー４５のデータは、ＯＳＤデータ生成部２６でＯＳＤデータ化され映像処理部７を介して画面９に表示される。表示されたチャプタ情報バー４５は、ユーザが何も操作しなければ、第１の設定時間画面９に表示される。
【００５２】
Ｓ１８において、制御部１３は、ユーザから次のチャプタへスキップする指示があったかを検査し、スキップ指示があったならばＳ１９へ移行し、スキップ指示がなければ、そのまま再生し、Ｓ１４へ移行する。Ｓ１９において、制御部１３は、次のチャプタにスキップして、そのチャプタの先頭から再生する。
【００５３】
Ｓ２０において、チャプタ情報バー表示制御部２４は、チャプタをスキップした後で、チャプタ情報バー４５表示する設定になっているかを検査し、表示する設定になっていれば、Ｓ２１へ移行し、表示しない設定になっていれば、Ｓ２２へ以降する。
【００５４】
Ｓ２１において、チャプタ情報バー表示制御部２４は、第２の設定時間画面９にチャプタ情報バー４５を表示させる。一方Ｓ２２においては、チャプタ情報バー表示制御部２４は、チャプタ情報バー４５を表示しないで、Ｓ１４に移る。番組が終了すると終了する。
【００５５】
以上のように、チャプタ検出部２３によって番組を再生している途中でチャプタが検出されたならば、チャプタ情報バー表示制御部２４によって、画面９にチャプタ情報バー４５が自動的に表示される。チャプタ情報バー４５には検出されたチャプタの先頭箇所にカーソルが表示されているため、そのチャプタの位置と長さをユーザは容易に認識することができる。
【００５６】
次のチャプタまでスキップする前に画面上にチャプタ情報バー４５を自動的に表示させることでチャプタの打ち損じや打ち過ぎを確認でき、スキップを実行するかしないかを判断することによりチャプタ抜けの発見や次のチャプタに飛ぶとどの場所へ移動するかの確認ができる。従って、チャプタをスキップする際にチャプタの状態を容易に確認でき、スキップ操作の操作性を向上させることができる。
【００５７】
（実施形態２）
実施形態２について、映像情報表示装置の構成は、図１に示す実施形態１の映像情報表示装置１の各部と同一である。この実施形態２が実施形態１と異なる点は、実施形態１では、チャプタ検出部２３が番組を再生している途中でチャプタを検出したならば、チャプタ情報バー表示制御部２４が画面９にチャプタ情報バー４５を表示する構成となっていたが、実施形態２では、チャプタ検出部２３がチャプタを検出し、検出したチャプタの再生時間とその次のチャプタの再生時間の時間差を検出して、時間差が所定時間よりも大きい場合に表示することである。
【００５８】
図７は、実施形態２におけるチャプタ情報バー４５の表示の例を示した図である。チャプタ分割線６１ａは、チャプタ検出部２３が検出したチャプタＢのチャプタ分割線である。チャプタ分割線６１ｂは次のチャプタＣのチャプタ分割線であり、チャプタ分割線６１ｃはその次のチャプタ分割線である。チャプタ分割線６１ａからチャプタ分割線６１ｂまでの時間、つまりチャプタＢの再生時間をｂ、チャプタ分割線６１ｂからチャプタ分割線６１ｃまでの時間、つまりチャプタＣの再生時間をｃで表し、その時間差をａ＝ｃ−ｂとする。
【００５９】
例えば、チャプタＢがＣＭ、チャプタＣが番組とすると、番組の時間に比べてＣＭの時間は遥かに短いので時間差ａは長い時間となる。従って時間差ａが比較的長い時間であれば、チャプタＢはＣＭ、チャプタＣは番組と仮定することができる。時間差ａが短い時間であれば、ＣＭの連続または番組の連続と仮定できる。
【００６０】
チャプタ検出部２３がチャプタを検出し、そのチャプタがＣＭで次のチャプタが番組であるような場合に限って、チャプタ情報バー表示制御部２４が画面９にチャプタ情報バー４５を表示する構成とすれば、ユーザはＣＭであることを容易に確認して、スキップすることができる。初期設定ウィンドウ５０の中に時間差ａの長さを設定できる項目を設けて、時間差ａが所定時間より長い場合のみ、チャプタ情報バー４５を表示するように設定することができる。例えばａを１０分と設定すれば、チャプタＢとチャプタＣの時間差が１０分以上であれば、チャプタＢが検出されたときにチャプタ情報バー４５を表示する。
【００６１】
以上のようにしてもチャプタをスキップする際にチャプタの状態を容易に確認でき、スキップ操作の操作性を向上させることができる。
【００６２】
また、再生時間ｂ、再生時間ｃを測定し、例えば両方とも５分以下であった場合はＣＭと仮定して連続スキップ動作をするとしても良い。
【００６３】
なお、本実施形態は上記した実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００６４】
１  映像情報表示装置
２  アンテナ
３  チューナ
４  復調器
５  デコード処理部
６  重畳処理部
７  映像処理部
８  表示装置画面
９  画面
１０  音声処理部
１１  スピーカ
１２  バス
１３  制御部
１４  ＭＰＵ
１５  ＲＡＭ
１６  ＲＯＭ記憶部
１７  フラッシュメモリ
１８  記録装置
１９  外部インターフェース
２０  外部記憶装置
２１  操作受信部
２２  操作機器
２３  チャプタ検出部
２４  チャプタ情報バー表示制御部
２５  チャプタ情報バー初期設定部
２６  ＯＳＤデータ生成部
２７  放送局
３０  リモコン
３５ａ、３５ｂ、３５ｃ、３５ｄ  カーソルボタン
３６  決定ボタン
３７  再生ボタン
４０  スキップボタン
４１  スキップボタン
４５  チャプタ情報バー
５０  初期設定ウィンドウ
【図１】
0005550429.tif 000002
【図２】
0005550429.tif 000003
【図３】
0005550429.tif 000004
【図４】
0005550429.tif 000005
【図５】
0005550429.tif 000006
【図６】
0005550429.tif 000007
【図７】
0005550429.tif 000008